(57)【特許請求の範囲】
【請求項１】
制御部と表示部とを備え、
重送検知機構を備えた画像読取装置に接続され、
前記制御部は、
前記重送検知機構での重送検知を有効とする有効領域及び前記重送検知機構での重送検知を無効とする無効領域を変更可能に表示するための可変表示領域と画像を表示するための画像表示領域とを含む予め設定された重送検出確認画面であって、当該画像表示領域に、前記画像読取装置で読み取られ前記重送検知機構で重送検知された媒体の画像であって、当該媒体が有する重なり領域における前記有効領域と重なる領域である有効重送検出領域が認識可能に当該媒体上に描かれているもの、が表示されているものを、前記表示部に表示する表示制御手段と、
前記可変表示領域に表示されている前記有効領域及び前記無効領域の大きさ及び／又は位置が変更された場合には、当該変更後の前記有効領域及び前記無効領域を前記画像読取装置へ転送して、当該画像読取装置における前記有効領域及び前記無効領域の設定を更新する設定手段と、
を備えたことを特徴とする画像表示装置。
【請求項２】
前記制御部は、
前記可変表示領域に表示されている前記有効領域及び前記無効領域の大きさ及び／又は位置が変更された場合には、前記画像表示領域に表示されている前記画像に描かれている前記有効重送検出領域を、当該変更後の前記有効領域に応じたものに変更する反映手段
をさらに備えたこと
を特徴とする請求項１に記載の画像表示装置。
【請求項３】
前記表示制御手段は、前記画像読取装置で読み取られ前記重送検知機構で重送検知された媒体の画像であって、当該媒体が有する重なり領域における前記有効領域と重なる領域である有効重送検出領域と当該媒体が有する重なり領域における前記無効領域と重なる領域である無効重送検出領域とが区別可能に当該媒体上に描かれているもの、が前記画像表示領域に表示されている前記重送検出確認画面を、前記表示部に表示すること、
を特徴とする請求項１または２に記載の画像表示装置。
【請求項４】
前記表示制御手段は、前記画像読取装置で読み取られ前記重送検知機構で重送検知された媒体が有する重なり領域における前記無効領域と重なる領域である無効重送検出領域が検出されたことを、前記画像読取装置での読み取り終了後に通知すること、
を特徴とする請求項１から３のいずれか１つに記載の画像表示装置。
【請求項５】
前記重送検出確認画面は、媒体の長さ及び当該長さと予め設定された基準長との差を表示するための表示領域をさらに含み、
前記表示制御手段は、前記画像読取装置で読み取られ前記重送検知機構で重送検知された媒体の長さ及び当該長さと前記基準長との差が前記表示領域に表示されている前記重送検出確認画面を、前記表示部に表示すること、
を特徴とする請求項１から４のいずれか１つに記載の画像表示装置。
【請求項６】
前記制御部は、
前記画像を削除する削除手段と、
前記画像読取装置に前記媒体を再度読み取らせる再読取手段と
をさらに備えたこと
を特徴とする請求項１から５のいずれか１つに記載の画像表示装置。
【請求項７】
制御部と表示部とを備え、重送検知機構を備えた画像読取装置に接続された画像表示装置の前記制御部で実行される、
前記重送検知機構での重送検知を有効とする有効領域及び前記重送検知機構での重送検知を無効とする無効領域を変更可能に表示するための可変表示領域と画像を表示するための画像表示領域とを含む予め設定された重送検出確認画面であって、当該画像表示領域に、前記画像読取装置で読み取られ前記重送検知機構で重送検知された媒体の画像であって、当該媒体が有する重なり領域における前記有効領域と重なる領域である有効重送検出領域が認識可能に当該媒体上に描かれているもの、が表示されているものを、前記表示部に表示する表示制御ステップと、
前記可変表示領域に表示されている前記有効領域及び前記無効領域の大きさ及び／又は位置が変更された場合には、当該変更後の前記有効領域及び前記無効領域を前記画像読取装置へ転送して、当該画像読取装置における前記有効領域及び前記無効領域の設定を更新する設定ステップと、
を含むことを特徴とする画像表示方法。
【請求項８】
制御部と表示部とを備え、重送検知機構を備えた画像読取装置に接続された画像表示装置の前記制御部に実行させるための、
前記重送検知機構での重送検知を有効とする有効領域及び前記重送検知機構での重送検知を無効とする無効領域を変更可能に表示するための可変表示領域と画像を表示するための画像表示領域とを含む予め設定された重送検出確認画面であって、当該画像表示領域に、前記画像読取装置で読み取られ前記重送検知機構で重送検知された媒体の画像であって、当該媒体が有する重なり領域における前記有効領域と重なる領域である有効重送検出領域が認識可能に当該媒体上に描かれているもの、が表示されているものを、前記表示部に表示する表示制御ステップと、
前記可変表示領域に表示されている前記有効領域及び前記無効領域の大きさ及び／又は位置が変更された場合には、当該変更後の前記有効領域及び前記無効領域を前記画像読取装置へ転送して、当該画像読取装置における前記有効領域及び前記無効領域の設定を更新する設定ステップと、
を含むことを特徴とする画像表示プログラム。
【発明の詳細な説明】
【技術分野】
【０００１】
本発明は、画像読取装置（例えばスキャナ、コピー機、ファクシミリなど）の重送（マルチフィード）検知機能で重送検知された画像データを表示する画像表示装置、画像表示方法および画像表示プログラムに関する。
【背景技術】
【０００２】
画像読取装置（イメージスキャナ装置）において、紙の重なりを検知できる超音波センサを利用したマルチフィード検出機能が広く使われている（例えば特許文献１など）が、用紙に写真や付箋紙等が貼り付けてあると誤ってマルチフィードを検知する場合がある。
【０００３】
上記した場合を回避する手段として、重送検知を無効とする長さをスキャナ上のパネルから読取開始前に予め設定させる技術が特許文献２に開示され、また重送検知を無効とする開始位置と終了位置をスキャナと接続されたパーソナルコンピュータ上の画面から読取開始前に予め設定させる技術が非特許文献１に開示されている。
【０００４】
また、重送検知した画像を画面に表示し、オペレータにその画像を取り込むか、破棄するかを判断させる技術が開示されている。
【先行技術文献】
【特許文献】
【０００５】
【特許文献１】特開２００４−２６９２４１号公報
【特許文献２】米国特許出願公開第２００５／０２２８５３５号明細書
【非特許文献】
【０００６】
【非特許文献１】キャノン株式会社のホームページ内に公開されているスキャナ「ＤＲ−Ｘ１０Ｃ」のユーザーマニュアル（機能詳細編）「ｈｔｔｐ：／／ｃｗｅｂ．ｃａｎｏｎ．ｊｐ／ｍａｎｕａｌ／ｄｒ／ｐｄｆ／ｄｒｘ１０ｃ−ｕｓｅｒｍａｎｕａｌ２．ｐｄｆ」
【発明の概要】
【発明が解決しようとする課題】
【０００７】
しかしながら、従来技術によれば、無効とする長さや位置を予め設定する必要があるので、オペレータに当該設定の面倒な煩わしい操作をさせていたという問題点があった。また、画面に表示された画像だけでは、オペレータは重送エラーの原因を特定し難かったという問題点があった。
【０００８】
本発明は、上記に鑑みてなされたものであって、オペレータに面倒な煩わしい操作をさせず、重送の原因を特定し易くすることができる画像表示装置、画像表示方法および画像表示プログラムを提供することを目的とするものである。
【課題を解決するための手段】
【０００９】
上述した課題を解決し、目的を達成するために、本発明に係る画像表示装置は、制御部と表示部とを備え、重送検知機構を備えた画像読取装置に接続され、前記制御部は、前記画像読取装置で読み取られ前記重送検知機構で重送検知された媒体の画像と前記重送検知機構で検出した重送検出箇所とを、前記表示部に表示する表示制御手段を備えたことを特徴とする。
【００１０】
また、本発明に係る画像表示装置は、前記に記載の画像表示装置において、前記制御部は、前記重送検知機構での前記重送検知を有効または無効とする領域または長さを設定させる設定手段と、前記設定手段で設定した前記領域または前記長さを、前記表示部に表示された前記重送検出箇所に反映する反映手段とをさらに備えたことを特徴とする。
【００１１】
また、本発明に係る画像表示装置は、前記に記載の画像表示装置において、前記表示制御部は、前記設定手段で設定した前記無効とする前記領域または前記長さ内で検出された前記重送検出箇所を、特徴的に前記表示部に表示すること、を特徴とする。
【００１２】
また、本発明に係る画像表示装置は、前記に記載の画像表示装置において、前記表示制御部は、前記設定手段で設定した前記無効とする前記領域または前記長さ内で前記重送検出箇所が検出されたことを、前記画像読取装置での読み取り終了後に通知すること、を特徴とする。
【００１３】
また、本発明に係る画像表示装置は、前記に記載の画像表示装置において、前記表示制御部は、前記媒体の長さおよび当該長さと予め設定された基準長との差を、前記表示部に表示すること、を特徴とする。
【００１４】
また、本発明に係る画像表示装置は、前記に記載の画像表示装置において、前記制御部は、前記画像を削除する削除手段と、前記画像読取装置に前記媒体を再度読み取らせる再読取手段とをさらに備えたことを特徴とする。
【００１５】
また、本発明は画像表示方法に関するものであり、本発明に係る画像表示方法は、制御部と表示部とを備え、重送検知機構を備えた画像読取装置に接続された画像表示装置の前記制御部で実行される、前記画像読取装置で読み取られ前記重送検知機構で重送検知された媒体の画像と前記重送検知機構で検出した重送検出箇所とを、前記表示部に表示する表示制御ステップを含むことを特徴とする。
【００１６】
また、本発明は画像表示プログラムに関するものであり、本発明に係る画像表示プログラムは、制御部と表示部とを備え、重送検知機構を備えた画像読取装置に接続された画像表示装置の前記制御部に実行させるための、前記画像読取装置で読み取られ前記重送検知機構で重送検知された媒体の画像と前記重送検知機構で検出した重送検出箇所とを、前記表示部に表示する表示制御ステップを含むことを特徴とする。
【００１７】
また、本発明は記録媒体に関するものであり、本発明に係るコンピュータ読み取り可能な記録媒体は、前記に記載の本発明に係る画像表示プログラムを記録したことを特徴とする。
【発明の効果】
【００１８】
本発明によれば、画像読取装置で読み取られ重送検知機構で重送検知された媒体の画像と重送検知機構で検出した重送検出箇所とを、表示部に表示する。これにより、オペレータに面倒な煩わしい操作をさせず、重送の原因を特定し易くすることができるという効果を奏する。
【００１９】
また、本発明によれば、重送検知機構での重送検知を有効または無効とする領域または長さを設定させ、設定した領域または長さを表示部に表示された重送検出箇所に反映する。これにより、媒体に貼られたシールや伝票などの貼付物の大きさや貼付位置が決まっている場合、オペレータは重送検知を有効または無効とする領域または長さを当該貼付物に合わせて任意に設定することができるという効果を奏する。また、当該設定後の領域または長さを表示部でプレビューすることで、オペレータは重送エラーの結果を事前に知ることができ、その結果、不必要なやり直し作業（媒体の再読み取り作業）を省くことができるという効果を奏する。
【００２０】
また、本発明によれば、設定した無効とする領域または長さ内で検出された重送検出箇所を、特徴的に（具体的には、他の重送検出箇所とは別の色や模様などで）表示部に表示する。これにより、重送の原因をより特定し易くすることができるという効果を奏する。
【００２１】
また、本発明によれば、設定した無効とする領域または長さ内で重送検出箇所が検出されたことを、画像読取装置での読み取り終了後に通知する。具体的には、複数の媒体の読み取り完了後に、読み取った各媒体の画像を表示部にサムネイル表示すると共に、無効とする領域または長さ内で検出された重送検出箇所を含む画像については強調表示する。これにより、オペレータは読み取り完了後に各媒体の読取状態を再チェックすることができ、その結果、重送エラー検出の信頼性を向上させることができるという効果を奏する。
【００２２】
また、本発明によれば、媒体の長さおよび当該長さと予め設定された基準長との差を、表示部に表示する。これにより、決まったサイズの媒体を搬送する場合に、オペレータは重送エラーの発生要因を簡単に確認することができるという効果を奏する。
【００２３】
また、本発明によれば、画像を削除したり、また画像読取装置に媒体を再度読み取らせたりする。これにより、媒体が重なっている場合に、オペレータは画像の破棄および当該媒体の再スキャンを簡単に実施することができるという効果を奏する。
【図面の簡単な説明】
【００２４】
【図１】図１は、本実施形態に係る情報処理装置の構成の一例を示す図である。
【図２】図２は、本実施形態に係る画像読取装置の具体例であるスキャナの構成を示す図である。
【図３】図３は、図２に示すスキャナに含まれる重送検知ユニットの構成の一例を示す図である。
【図４】図４は、本実施形態のスキャナ側のメイン処理の一例を示すフローチャートである。
【図５】図５は、本実施形態のＰＣ側のメイン処理の一例を示すフローチャートである。
【図６】図６は、ＭＦ検出確認画面の一例を示す図である。
【図７】図７は、ＭＦ検出確認画面の一例を示す図である。
【図８】図８は、ＭＦ検出確認画面の一例を示す図である。
【図９】図９は、ＭＦ検出確認画面の一例を示す図である。
【図１０】図１０は、ＭＦ検出確認画面の一例を示す図である。
【発明を実施するための形態】
【００２５】
以下に、本発明に係る画像表示装置、画像表示方法及び画像表示プログラムの実施形態を図面に基づいて詳細に説明する。なお、本実施形態により本発明が限定されるものではない。
【００２６】
［１．本実施形態の構成］
［１−１．構成の概要］
まず、本実施形態に係る情報処理装置１００の構成の概要について、図１を参照して説明する。図１は、本発明に係る画像表示装置の適用される本実施形態に係る情報処理装置の構成の概要を示す図である。
【００２７】
情報処理装置１００は、具体的にはパーソナルコンピュータ（ＰＣ）であり、制御部１０２と通信インターフェース部１０４と記憶部１０６と入出力インターフェース部１０８とを備えており、これら各部は任意の通信路を介して通信可能に接続されている。情報処理装置１００は、画像読取装置２００と通信可能に接続されている。
【００２８】
ここで、画像読取装置２００は、具体的には、スキャナ、コピー機、ファクシミリなどであり、重送検知ユニット２０２と画像読取ユニット２０４とを備える。重送検知ユニット２０２は、搬送された用紙の重送（マルチフィード（ＭＦ））を検知（検出）するための機構であり、例えば、用紙の重なりや厚みを超音波で検知する超音波（ＵＳ）センサ（ハードウェア）や超音波センサの出力から重送であるかを検知する処理部（ソフトウェア）などを含むものである。重送検知ユニット２０２は、処理部として、判断部２０２ａと算出部２０２ｂとを備える。判断部２０２ａは、ＵＳセンサでＭＦ検出した場合に、当該ＭＦ検出した箇所を予め設定されたＭＦ検出範囲（ＵＳセンサのＭＦ検出を有効と見做す領域または長さ、ＵＳセンサのＭＦ検出を無効と見做す領域または長さ、を含む）と比較して、当該箇所をＭＦエラーとするか否かを判断する。算出部２０２ｂは、ＵＳセンサの出力結果または画像読取ユニット２０４で読み取った画像データから、用紙の長さ（用紙の上端から下端までの長さ）を算出する。判断部２０２ａは、算出部２０２ｂで用紙の長さが算出された場合には、当該長さと予め設定された基準長（例えば、用紙１枚目の長さ＋１０ｍｍなど）との大小を比較して、当該用紙をＭＦエラーとするか否かを判断する。なお、重送検知ユニット２０２の構成の具体例については、後述する［１−２．構成の具体例］にて詳細に説明する。画像読取ユニット２０４は、搬送された用紙を用紙センサで読み取って、当該用紙の画像を生成するための機構である。
【００２９】
通信インターフェース部１０４は、ルータ等の通信装置及び専用線等の有線又は無線の通信回線を介して、情報処理装置１００を画像読取装置２００や他の端末に通信可能に接続する。
【００３０】
記憶部１０６は、各種のデータベースやテーブルやファイルなどを格納する。記憶部１０６は、ストレージ手段であり、例えばＲＡＭ・ＲＯＭ等のメモリ装置や、ハードディスクのような固定ディスク装置、フレキシブルディスク、光ディスク等を用いることができる。記憶部１０６は、図示の如く、画像データファイル１０６ａと、ＭＦ検出結果ファイル１０６ｂとを記憶する。画像データファイル１０６ａは、画像読取装置２００で読み取られた用紙の画像データを格納する。ＭＦ検出結果ファイル１０６ｂは、画像読取装置２００の重送検知ユニット２０２に含まれるＵＳセンサの出力結果（具体的には、上述したＭＦ検出範囲など）を格納する。
【００３１】
入出力インターフェース部１０８は、入力装置１１２や出力装置１１４を画像処理装置１００と接続する。ここで、出力装置１１４には、モニタ（家庭用テレビを含む）の他、スピーカやプリンタを用いることができる（なお、以下では、出力装置１１４をモニタ１１４として記載する場合がある。）。入力装置１１２には、キーボードやマウスやマイクの他、マウスと協働してポインティングデバイス機能を実現するモニタを用いることができる。
【００３２】
制御部１０２は、情報処理装置１００を統括的に制御するＣＰＵ等からなる。制御部１０２は、ＯＳ等の制御プログラムと各種の処理手順等を規定したプログラムと所要データとを格納するための内部メモリを有し、これらプログラムに基づいて種々の処理を実行するための情報処理を行う。制御部１０２は、図示の如く、大別して、表示制御部１０２ａと、設定部１０２ｂと、反映部１０２ｃと、削除部１０２ｄと、再読込部１０２ｅと、取込部１０２ｆと、を備える。
【００３３】
表示制御部１０２ａは、画像読取装置２００で読み取られ重送検知機構２０２でＭＦ検知された用紙の画像と重送検知機構２０２で検出したＭＦ検出箇所（ＭＦ検出領域）とを、モニタ１１４に表示する。
【００３４】
表示制御部１０２ａは、後述する設定部１０２ｂで設定した重送検知機構２０２での重送検知を無効とする領域または長さ内で検出されたＭＦ検出箇所を、特徴的に（具体的には、他のＭＦ検出箇所とは異なる色や模様等を付して）モニタ１１４に表示する。
【００３５】
表示制御部１０２ａは、後述する設定部１０２ｂで設定した重送検知機構２０２での重送検知を無効とする領域または長さ内でＭＦ検出箇所が検出されたことを、画像読取装置２００での読み取り終了後に通知する。具体的には、表示制御部１０２ａは、画像読取装置２００での複数の用紙の読み取り完了後に、読み取った各用紙の画像をモニタ１１４にサムネイル表示すると共に、無効とする領域または長さ内で検出されたＭＦ検出箇所を含む画像については色や模様などで強調表示する。
【００３６】
表示制御部１０２ａは、用紙の長さおよび当該長さと予め設定された基準長との差を、モニタ１１４に表示する。
【００３７】
設定部１０２ｂは、重送検知機構２０２での重送検知を有効または無効とする領域または長さを含むＭＦ検出範囲を、オペレータに設定させる。反映部１０２ｃは、設定部１０２ｂで設定したＭＦ検出範囲を、モニタ１１４に表示されたＭＦ検出箇所に反映（プレビュー）する。
【００３８】
削除部１０２ｄは、モニタ１１４に表示された画像を削除する。再読込部１０２ｅは、画像読取装置２００に用紙を再度読み取らせる。取込部１０２ｆは、モニタ１１４に表示された画像を画像データファイル１０６ａに取り込む（格納する）。
【００３９】
［１−２．構成の具体例］
つぎに、上述した構成の情報処理装置１００と接続される画像読取装置２００の構成の具体例について、図２および図３を参照して詳細に説明する。なお、ここでは、画像読取装置がスキャナである場合の具体的構成について説明するが、画像読取装置としてはスキャナに限らずコピー機、ファクシミリ等に適用することができる。
【００４０】
図２は、画像読取装置２００としてのスキャナ（以下、スキャナ２００と記す場合がある。）の断面の概略を示す図であり、上述した重送検知ユニット２０２および画像読取ユニット２０４の適用されるスキャナの構成の概略を示す。
【００４１】
スキャナ２００は、図２に示すように、用紙載置台（シュータ）３１、ピックローラ３２、ピックアーム３３、分離パッド３４、フィードローラ３５、３６、排出ローラ３７、３８を備え、また、重送検知ユニット２０２に対応する後述する超音波検知器の送信側超音波センサ１７、受信側超音波センサ１８を備える。図２において、２点鎖線は用紙Ａの搬送路を示し、矢印Ｒは用紙Ａの読取位置を示す。
【００４２】
用紙載置台（シュータ）３１上に載置された用紙Ａは、ピックアーム３３により適切な押圧力を付与された状態で、ピックローラ３２によりピックされる。この時、用紙Ａは、ピックローラ３２及び分離パッド３４により、下側から順に１枚づつに分離される。ピックされた用紙Ａは、更に、ピックローラ３２によりフィードローラ３５、３６へ搬送され、フィードローラ３５、３６により読取位置に搬送され、この読取位置で画像読取ユニット２０４により読み取られ、排出ローラ３７、３８により排出される。用紙Ａを前記搬送路に沿って搬送する過程で、分離パッド３４によっても１枚に分離されなかった複数枚（通常は２枚）の即ちマルチフィードされた用紙Ａが、送信側超音波センサ１７、受信側超音波センサ１８で検出される。このために、送信側超音波センサ１７、受信側超音波センサ１８は、図２に示すように、画像読取ユニット２０４が用紙を読み取る際の読取位置よりも搬送路において上流に設けられる。特に、フィードローラ３５、３６の下流又は上流に設けられる。
【００４３】
図３は、重送検知ユニット２０２の具体的構成の一例を示す図である。図３において、重送検知ユニット２０２に対応する超音波検知器は、超音波を用いて複数の用紙Ａの搬送を検知する。超音波検知器は、送信側超音波センサ１７と、その駆動回路（送信側回路、以下同じ）４１と、受信側超音波センサ１８と、複数の用紙Ａの搬送（マルチフィード）の検知における閾値を設定する設定手段（２６）と、複数の用紙Ａの搬送を検知する検知手段（２６）とを備える。
【００４４】
送信側超音波センサ１７は超音波を出力する。駆動回路４１は、送信側超音波センサ１７に対してこれを駆動する駆動信号を供給する。駆動回路４１は、送信側超音波センサ１７の共振周波数近傍の周波数で発振する回路（ＯＮ／ＯＦＦ制御可能）で構成される。受信側超音波センサ１８は、送信側超音波センサ１７と用紙搬送路を挟んで対向して設けられ、超音波を受ける。設定手段は、駆動回路４１により送信側超音波センサ１７の出力を停止した場合における受信側超音波センサ１８の出力を基準値として、複数の用紙Ａの搬送の検知における閾値を設定する。検知手段は、受信側超音波センサ１８の出力と閾値とを比較して、複数の用紙Ａの搬送を検知する。
【００４５】
超音波検知器は、更に、（１段目の）増幅回路２１、ＢＰＦ（Ｂａｎｄ  Ｐａｓｓ  Ｆｉｌｔｅｒ）２２、（２段目の）増幅回路２３、サンプルホールド（Ｓ＆Ｈ）回路２４、ＡＤコンバータ２５、ＣＰＵ２６、モータドライバ２７、モータ２８、ＲＯＭ２９、ＲＡＭ３０を備える。これらは、受信側回路を構成する。即ち、受信側超音波センサ１８が送信側超音波センサ１７から受信した超音波に応じた電気信号を出力し、これを増幅回路２１で増幅した後にＢＰＦでノイズを除去し、この後、更に、ノイズ除去後の信号を増幅回路２３で増幅する。そして、サンプルホールド回路２４が当該信号のピーク値をサンプルアンドホールド（ＳＨ）した後、当該値（アナログ信号）をＡＤコンバータ２５でデジタル値（デジタル信号）に変換する。このデジタル信号（入力信号）をＣＰＵ２６（の設定手段及び検知手段）に入力して解析する。即ち、ＣＰＵ２６上に設定及び検知処理プログラム（及びハードウェア）により実現される設定手段及び検知手段により、前記入力信号を解析する。当該設定及び検知処理プログラムは、例えばＲＯＭ２９及び／又はＲＡＭ３０に格納される。ＣＰＵ２６（即ち、検知手段）は、例えばマルチフィード検出の場合、モータドライバ２７に駆動信号を送信し、モータ２８を駆動させ、（複数の）用紙Ａの搬送を停止させる。ＣＰＵ２６には上述した判断部２０２ａおよび算出部２０２ｂが含まれており、ＣＰＵ２６（即ち、検知手段）は、ＭＦ検出した場合、超音波センサの出力結果を判断部２０２ａや算出部２０２ｂへ転送する。
【００４６】
超音波検知器は、送信側回路（駆動回路）４１を備える。送信側回路４１は、駆動ＩＣ、抵抗周波数調整発振器（ＯＳＣ）、可変抵抗器から構成される。駆動ＩＣは、送信側超音波センサ１７に対してこれを駆動する駆動信号を供給する駆動回路である。これにより、送信側超音波センサ１７が超音波を出力する。この超音波を受信側超音波センサ１８が受信して、当該受信した超音波の強度に応じて検出信号を出力する。例えば、用紙Ａが送信側超音波センサ１７と受信側超音波センサ１８との間に存在しない場合、受信側超音波センサ１８は、あるレベル（通常レベル）の信号を検出し、用紙Ａが１枚存在する場合、通常レベルより小さく所定の閾値よりは大きいレベル（正常レベル）の信号を検出し、用紙Ａが２枚（以上）存在する場合、通常レベル及び前記閾値よりも小さいレベル（異常レベル）の信号を検出する。例えば、用紙Ａの搬送に先立って、受信側超音波センサ１８が通常レベルの信号（実際には、通常レベルと等しいか又はより大きい信号）を検出するように、駆動ＩＣの制御が行なわれる。即ち、受信側超音波センサ１８が受信した超音波に基づき、可変抵抗器を用いることなく、駆動信号の駆動周波数が送信側超音波センサ１７の共振周波数に合うように、駆動ＩＣを制御する。
【００４７】
設定手段は、駆動回路４１により送信側超音波センサ１７の出力を停止した場合における受信側超音波センサ１８の出力を基準値として、複数の用紙Ａの搬送の検知における閾値を設定する（生成する）。閾値は、送信側超音波センサ１７の出力を停止した場合における受信側超音波センサ１８の出力（受信側超音波センサ１８からの入力信号の平均値）に固定の値（補正値）を加えることにより求める。即ち、ＣＰＵ２６（のセンサ制御手段）が、送信側回路４１へ制御信号を送信し、送信側回路４１の発振を停止させる。また、ＣＰＵ２６（のセンサ制御手段）が、増幅回路２３（の演算増幅器）に所定のバイアス電圧を加える。この状態で、ＣＰＵ２６（の生成手段）が、ＡＤコンバータ２５から受信側超音波センサ１８からの入力信号を数十回、例えば３２回繰り返して受信し、その平均値を算出してこれを基準値とする。即ち、例えば１ラスタ内における３２ポイントでの信号を計測する。そして、ＣＰＵ２６（の生成手段）は、基準値に補正値を加える補正をして閾値を生成し、これをＣＰＵ２６（のレジスタ）に格納する。ここで、補正値は、ノイズなどの影響を考慮して、設置される装置ごとに経験的に決定される。なお、予め補正値の値を決定しておくようにしてもよく、また、超音波センサの感度・音圧バラツキ、取付バラツキ、環境、紙粉付着などの影響を考慮し、装置ごとに可変値としてその都度決定してもよい。
【００４８】
検知手段は、受信側超音波センサ１８の出力と閾値とを比較して、複数の用紙Ａの搬送を検知する。ＣＰＵ２６（のセンサ制御手段）において、送信側回路４１等へ制御信号を送信し、送信側回路４１を発振させる。また、ＣＰＵ２６（のセンサ制御手段）が増幅回路２３（の演算増幅器）に所定のバイアス電圧を加える。この状態でＣＰＵ２６（の比較手段）が、ＡＤコンバータ２５から受信側超音波センサ１８からの入力信号（デジタル値）を数十回、例えば３２回繰り返して受信して保持する。この時、送信側回路４１の発振（送信側駆動パルス）を停止させた上で、複数の所定の位置、例えば３２個のポイントでの信号を計測する。計測の位置は、例えば１ラスタ毎に１回、又は複数のラスタ毎に１回とされる。また、受信側超音波センサ１８の出力波形が次第に大きくなって最大の値となった場合におけるその最大値をサンプルしてホールドする。つぎに、ＣＰＵ２６（のセンサ制御手段又は比較手段）が、ＳＨ割り込みでのタイマーセットを行い、割り込みが発生したかを判断する。ＳＨ割り込みは、例えば、前述のように３２個の入力信号を得る場合、３２回発生するようにされる。即ち、ＳＨ割り込みを契機として、送信側の連続した駆動パルスが出力される。例えば、１ラスタ毎に１回、３２回のＳＨ割り込みが所定の時間の経過と共に発生する。割り込みが発生していない場合、前述した割り込み発生の判断を繰り返す。割り込みが発生した場合、先に受信して保持した３２個の値の平均値、例えば移動平均値を算出して、これをマルチフィード（ＭＦ）検出のための入力信号の値とする。この後、ＣＰＵ２６（の比較手段）が、入力信号の値とレジスタの閾値とを比較し、入力信号の値が閾値以上の場合、正常給紙であると判断し、入力信号の値が閾値未満の場合、この場合である回数が所定の回数、例えば１０回以上か否かを判断し、１０回以上である場合にはマルチフィードが発生したと判断してエラー信号を出力し、１０回以上でない場合には前述したタイマーセット以下の処理を繰り返す。そして、エラー信号は、ＣＰＵ２６の判断部２０２ａに入力される。
【００４９】
［２．本実施形態の処理］
ここでは、上述した構成の情報処理装置１００（以下、ＰＣ１００と記す場合がある。）および画像読取装置２００（以下、スキャナ２００と記す場合がある。）のそれぞれで実行される処理の一例について、図４や図５等を参照して説明する。
【００５０】
始めに、スキャナ２００側で実行されるメイン処理の一例について、図４を参照して説明する。
【００５１】
まず、スキャナ２００の重送検知ユニット２０２は、ＭＦ検出有効が選択されている場合（ＭＦ検出が有効な状態になっている場合）、超音波（ＵＳ）センサで、用紙の上端（先端）からＭＦ検出を開始する（ステップＳＡ１）。
【００５２】
つぎに、重送検知ユニット２０２は、ＵＳセンサの出力結果（ＭＦ検出結果）を、ある一定間隔でメモリに格納する（ステップＳＡ２）。
【００５３】
つぎに、重送検知ユニット２０２は、ＵＳセンサでのＭＦ検出が用紙の下端に到達したかを確認し、下端に到達していない場合（ステップＳＡ３：Ｎｏ）にはステップＳＡ２を再度実行する。
【００５４】
そして、下端に到達した場合（ステップＳＡ３：Ｙｅｓ）において、さらに、ＵＳセンサが用紙の上端から下端までの間にＭＦを検知したとき（ステップＳＡ４：Ｙｅｓ）には、重送検知ユニット２０２の判断部２０２ａは、ＵＳセンサの出力結果（具体的には、ＭＦ検出領域）を、予め指定（設定）された検出条件と比較する（ステップＳＡ５）。具体的には、判断部２０２ａは、（１）ＵＳセンサでＭＦ検知したＭＦ検出領域が、予め設定されたＵＳセンサでのＭＦ検知の有効領域（または有効と見做す長さ）または無効領域（または無効と見做す長さ）内にあるか否かを判定し、（２）ＭＦ検出領域が有効領域内にある又は無効領域内にない場合にはＵＳセンサでのＭＦ検知を有効と決定し、ＭＦ検出領域が有効領域内にない又は無効領域内にある場合にはＵＳセンサでのＭＦ検知を無効と決定する。
【００５５】
つぎに、判断部２０２ａは、ＵＳセンサでのＭＦ検知を有効と決定した場合（ステップＳＡ６：Ｙｅｓ）には、ＵＳセンサでのＭＦ検知に従って「ＭＦエラー」と判断する（ステップＳＡ７）。
【００５６】
一方、判断部２０２ａは、ＵＳセンサでのＭＦ検知を無効と決定した場合（ステップＳＡ６：Ｎｏ）には、ＵＳセンサでのＭＦ検知を無視して「ＭＦエラー無し」と判断すると共に、ＵＳセンサでのＭＦ検知を無効とした旨の情報をＵＳセンサの出力結果に格納する（具体的には、ＵＳセンサのＭＦ検出範囲とそれを無効とした旨の情報とを関連付けて記憶する）（ステップＳＡ８）。
【００５７】
つぎに、重送検知ユニット２０２の算出部２０２ｂは、読み取りした用紙の画像データまたはＵＳセンサの出力結果から、用紙の長さ（具体的には、用紙の上端から下端までの長さ）を算出する（ステップＳＡ９）。
【００５８】
つぎに、判断部２０２ａは、用紙の長さの違いでＭＦを検出する検出モードが有効な状態に選択されている場合（ステップＳＡ１０：Ｙｅｓ）には、ステップＳＡ９で算出した用紙の長さと予め設定された基準長（例えば、用紙１枚目の長さ＋１０ｍｍなど）との大小を比較する（ステップＳＡ１１）。
【００５９】
つぎに、判断部２０２ａは、ステップＳＡ１１での比較結果が「基準長より大きい」というものであった場合（ステップＳＡ１２：Ｙｅｓ）には、「ＭＦエラー」と判断する（ステップＳＡ１３）。
【００６０】
つぎに、スキャナ２００は、画像データをＰＣ１００へ転送し終えたかを確認し、ＰＣ１００への転送が完了した場合（ステップＳＡ１４：Ｙｅｓ）において、さらに「ＭＦエラー」と判断されていたとき（ステップＳＡ１５：Ｙｅｓ）には、当該ＭＦエラーをＰＣ１００に通知し（ステップＳＡ１６）、そして、メモリに格納されているＵＳセンサの出力結果（具体的にはＭＦ検出範囲）とステップＳＡ９で算出した用紙長をＰＣ１００に通知する（ステップＳＡ１７）。一方、スキャナ２００は、「ＭＦエラー」と判断されていなかったとき（ステップＳＡ１５：Ｎｏ）には、次の用紙があれば（ステップＳＡ１８：Ｙｅｓ）、上述したステップＳＡ１以降の処理を再度実行する。
【００６１】
以上、スキャナ２００側で実行されるメイン処理の一例について説明したが、当該メイン処理を実行した結果、ＰＣ１００には、読み取りした用紙ごとの画像データが転送された。また、スキャナ２００で「ＭＦエラー」と判断した場合には、ＭＦエラーの判断結果、ＵＳセンサの出力結果（具体的には、ＭＦ検出領域と、場合によっては当該範囲を無効とした旨の情報と、を含む）および用紙長が転送された。
【００６２】
続いて、ＰＣ１００側で実行されるメイン処理の一例について、図５等を参照して説明する。
【００６３】
まず、ＰＣ１００の制御部１０２は、スキャナ２００から転送された画像データを取得する（ステップＳＢ１）。
【００６４】
つぎに、制御部１０２は、スキャナ２００で「ＭＦエラー」と判断された場合には、スキャナ２００から通知されたＭＦエラーの判断結果を取得する（ステップＳＢ２）。
【００６５】
つぎに、制御部１０２は、スキャナ２００で「ＭＦエラー」と判断された場合には、スキャナ２００から通知されたＵＳセンサの出力結果（具体的には、ＭＦ検出領域と、場合によっては当該範囲を無効とした旨の情報と、を含む）と用紙長とを取得し、ＭＦ検出結果ファイル１０６ｂの所定の記憶領域に格納する（ステップＳＢ３）。
【００６６】
そして、表示制御部１０２ａは、スキャナ２００で「ＭＦエラー」と判断された場合には、画像データ、ＵＳセンサの出力結果（ＭＦ検出領域）、用紙長、予め設定されたＭＦ検出範囲（具体的には、ＵＳセンサでのＭＦ検知の有効領域（または有効と見做す長さ）および／または無効領域（または無効と見做す長さ）を含むＭＦ検出範囲）および予め設定された基準長に基づいて、例えば図６から図９に示すようなＭＦ検出確認画面ＭＡを、モニタ１１４に表示する（ステップＳＢ４）。また、表示制御部１０２ａは、スキャナ２００で「ＭＦエラー」と判断されなかった場合には、図１０に示すようなＭＦ検出確認画面ＭＢを、モニタ１１４に表示する（ステップＳＢ４）。
【００６７】
具体的には、スキャナ２００において２枚以上重ねられた状態の用紙がＭＦエラーと判断された場合、表示制御部１０２ａは、以下の処理（１１）〜（１３）を任意の順に実行することによって、図６に示すようなＭＦ検出確認画面ＭＡをモニタ１１４に表示する。ここで、ＭＦ検出確認画面ＭＡの一例について図６を参照して説明する。ＭＦ検出確認画面ＭＡは、画像データを表示するための画像表示領域ＭＡ１と、有効領域および／または無効領域を含むＭＦ検出範囲を変更可能に表示するための可変表示領域ＭＡ２と、用紙長の数値および用紙長と基準長との差の数値を表示するための表示領域ＭＡ３と、画像表示領域ＭＡ１に表示されている画像データの取り込み（保存）を指示するための画像取込ボタンＭＡ４と、画像表示領域ＭＡ１に表示されている画像データの破棄（消去）を指示するための画像破棄ボタンＭＡ５と、を含んでいる。
（１１）ＭＦ検出された用紙Ａと用紙Ｂとを写し出した画像データを、画像表示領域ＭＡ１に表示する。さらに、ＵＳセンサでＭＦ検出された用紙Ａと用紙Ｂの重なり範囲内のＭＦ検出領域Ｃを、色彩や模様などを付して表示する。
（１２）予め設定されたＭＦ検出範囲を、有効領域と無効領域とを色彩や模様などで区別できる様に、可変表示領域ＭＡ２に表示する。なお、図６の可変表示領域ＭＡ２は、有効領域のみを含むＭＦ検出範囲が設定されていた場合の一例である。
（１３）用紙長の数値および用紙長と基準長との差の数値を、表示領域ＭＡ３に表示する。
これにより、ＭＦエラーの発生原因が画面で簡単に確認できる。また、画像を取り込むか、破棄するかの判断が容易になる。
【００６８】
また、具体的には、スキャナ２００においてシールが貼られた状態の用紙がＭＦエラーと判断された場合、表示制御部１０２ａは、以下の処理（２１）〜（２３）を任意の順に実行することによって、図７に示すようなＭＦ検出確認画面ＭＡをモニタ１１４に表示する。
（２１）ＭＦ検出された用紙Ａと当該用紙Ａに貼られたシールＢとを写し出した画像データを、画像表示領域ＭＡ１に表示する。さらに、ＵＳセンサでＭＦ検出されたシールＢ内のＭＦ検出領域Ｃを、色彩や模様などを付して表示する。
（２２）予め設定されたＭＦ検出範囲を、有効領域と無効領域とを色彩や模様などで区別できる様に、可変表示領域ＭＡ２に表示する。なお、図７の可変表示領域ＭＡ２は、有効領域と無効領域を含むＭＦ検出範囲が設定されていた場合の一例である。ここで、可変表示領域ＭＡ２に表示された有効領域・無効領域の大きさ・位置は、入力装置１１２を操作してオペレータが任意に変更可能となっている。具体的には、有効領域・無効領域の大きさ・位置を、図７に示す状態から任意に変更することができる。なお、オペレータが有効領域・無効領域の大きさ・位置を変更した場合には、設定部１０２ｂは、当該変更後の有効領域・無効領域の設定をスキャナ２００へ転送して、スキャナ２００の有効領域・無効領域の設定を更新する。また、反映部１０２ｃは、当該変更後の有効領域・無効領域の設定をＭＦ検出確認画面ＭＡ（具体的には、画像表示領域ＭＡ１に表示されたＭＦ検出領域Ｃ）に反映（プレビュー）させる。
（２３）用紙長の数値と単位（例えば「ｍｍ」など）および用紙長と基準長との差の数値と単位を、表示領域ＭＡ３に表示する。
これにより、設定した検出範囲（長さ）を画面のＵＳセンサ出力に反映する。プレビュー機能により、ＭＦエラーの結果が事前に分かる。不必要なやり直し作業を省くことができる。
【００６９】
また、具体的には、スキャナ２００において用紙の長さの違いでＭＦエラーを検出した場合（上述した図４に示すスキャナ２００側のメイン処理のステップＳＡ１３が実行された場合）、表示制御部１０２ａは、以下の処理（３１）から（３３）を任意の順に実行することによって、図８に示すようなＭＦ検出確認画面ＭＡをモニタ１１４に表示する。
（３１）ＭＦ検出された用紙Ａと用紙Ｂを写し出している画像データを、画像表示領域ＭＡ１に表示する。
（３２）可変表示領域ＭＡ２の代わりに設けられた表示領域ＭＡ２´（用紙長および用紙長と基準長（例えば、通常の用紙長＋１０ｍｍなど）との差を表示するための領域）の長さ（大きさ）を用紙長に相当する長さに変更することで、用紙長を認識できる様に表示する。さらに、表示領域ＭＡ２´における用紙長と基準長との差に相当する部分（具体的には、基準長より長い部分）に色彩や模様などを付すことで、当該差を認識できる様に表示する。
（３３）用紙長の数値および用紙長と基準長との差の数値を、表示領域ＭＡ３に表示する。
これにより、決まったサイズの用紙を搬送する場合に、判断材料を提供する。ＭＦエラーの発生要因が画面で簡単に確認できる。
【００７０】
また、具体的には、スキャナ２００において有効領域内でＭＦエラー検出され且つ無効領域内でもＭＦ検出された場合（上述した図４に示すスキャナ側のメイン処理において「ＭＦエラー」と判断されたＭＦ検出領域があり、且つ「ＭＦエラー無し」と判断されたＭＦ検出領域もあった場合）、表示制御部１０２ａは、以下の処理（４１）から（４３）を任意の順に実行することによって、図９に示すようなＭＦ検出確認画面ＭＡをモニタ１１４に表示する。
（４１）ＭＦ検出された用紙Ａと用紙Ｂと当該用紙Ｂに貼られたシールＣとを写し出した画像データを、画像表示領域ＭＡ１に表示する。さらに、有効領域でＭＦ検出されたシールＣ内のＭＦ検出領域Ｄ（「ＭＦエラー」と判断された領域）を、色彩や模様などを付して画像表示領域ＭＡ１に表示する。また、無効領域でＭＦ検出された用紙Ａと用紙Ｂの重なり範囲内のＭＦ検出領域Ｅ（「ＭＦエラー無し」と判断された領域）を、ＭＦ検出領域Ｄとは異なる色彩や模様などを付して画像表示領域ＭＡ１に表示する。
（４２）予め設定されたＭＦ検出範囲を、有効領域と無効領域とを色彩や模様などで区別できる様に、可変表示領域ＭＡ２に表示する。
（４３）用紙長の数値および用紙長と基準長との差の数値を、表示領域ＭＡ３に表示する。
これにより、ＭＦエラーの発生要因が画面で簡単に確認できる。
【００７１】
さらに、具体的には、スキャナ２００において複数の用紙の読み取りを実行している際に、幾つかの用紙について無効領域でＭＦ検出された場合（上述した図４に示すスキャナ側のメイン処理において「ＭＦエラー」と判断されたＭＦ検出領域はなかったが「ＭＦエラー無し」と判断されたＭＦ検出領域があった場合）、表示制御部１０２ａは、スキャナ２００での全ての用紙の読み取りが完了した後、以下の処理（５１）から（５３）を実行することによって、図１０に示すようなＭＦ検出確認画面ＭＢをモニタ１１４に表示する。ここで、ＭＦ検出確認画面ＭＢの一例について図１０を参照して説明する。ＭＦ検出確認画面ＭＢは、複数の画像データをサムネイル表示するための画面であり、画像データを表示するための複数の画像表示領域ＭＢ１を含んでいる。
（５１）複数の画像データを、画像表示領域ＭＢ１にサムネイル表示する。
（５２）無効領域でＭＦ検出された用紙Ａ１と用紙Ｂ１とを写し出した画像データを表示した画像表示領域ＭＢ１（図１０中、上段の右側に位置する画像表示領域）を、特徴的な色彩や模様などを付して強調表示する。また、無効領域でＭＦ検出された用紙Ａ１と用紙Ｂ１の重なり範囲内のＭＦ検出領域Ｃ１（「ＭＦエラー無し」と判断された領域）を、色彩や模様などを付して画像表示領域Ｂ１に表示する。
（５３）無効領域でＭＦ検出された用紙Ａ２と当該用紙Ａ２に貼られたシールＢ２とを写し出した画像データを表示した画像表示領域ＭＢ１（図１０中、下段の中央に位置する画像表示領域）を、特徴的な色彩や模様などを付して強調表示する。また、無効領域でＭＦ検出されたシールＢ２内のＭＦ検出領域Ｃ２（「ＭＦエラー無し」と判断された領域）を、色彩や模様などを付して画像表示領域ＭＢ１に表示する。
これにより、読み取り完了後に再チェックできることで、ＭＦエラー検出の信頼性を向上させることができる。
【００７２】
そして、オペレータは、モニタ１１４に表示されたＭＦ検出確認画面ＭＡやＭＦ検出確認画面ＭＢを確認して、ＭＦエラーの原因を特定（確認）する。
【００７３】
具体的には、オペレータは、用紙が重なっている場合には、ＭＦ検出確認画面ＭＡに含まれている画像破棄ボタンＭＡ５を、入力装置１１２を操作して押下し、用紙をスキャナ２００のシュータ（またはホッパ）に戻す。そして、当該押下を受けると、削除部１０２ｄは、画像表示領域ＭＡ１に表示されている画像データを破棄し、再読込部１０２ｅは、用紙の再スキャン（再読込）の指示をスキャナ２００へ転送する。
【００７４】
また、具体的には、オペレータは、用紙に貼り付けた物の大きさや位置が決まっている場合は、可変表示領域ＭＡ２のＭＦ検出範囲を、ＭＦ検出確認画面ＭＡを見ながら入力装置１１２を操作して適宜調整する。当該調整が終わると、設定部１０２ｂは、当該調整後のＭＦ検出範囲をスキャナ２００へ転送してスキャナ２００のＭＦ検出範囲の設定を更新する。また、反映部１０２ｃは、当該調製後のＭＦ検出範囲をＭＦ検出確認画面ＭＡ（具体的には、表示されているＭＦ検出領域）に反映する。
【００７５】
また、具体的には、オペレータは、用紙の重なりでない場合は、ＭＦ検出確認画面ＭＡに含まれている画像取込ボタンＭＡ５を、入力装置１１２を操作して押下する。そして、当該押下を受けると、取込部１０２ｆは、画像表示領域ＭＡ１に表示されている画像データを、画像データファイル１０６ａの所定の記憶領域に格納する（取り込む）。
【００７６】
［３．本実施形態のまとめ、及び他の実施形態］
以上、本実施形態によれば、ＭＦ検出時に、ＭＦ検出確認画面において、ＭＦ検出した画像だけでなく、ＵＳセンサの出力（ＭＦ検出した箇所）をさらに表示する。これにより、オペレータに面倒で煩わしいＭＦ検出の有効／無効領域の設定操作をさせず、ＭＦの原因を特定し易くすることができる。また、用紙上のどの位置でＭＦ検出されたかをわかり易くすることができる。また、付箋紙や写真等が貼られた用紙でＭＦと判定された場合の操作性を向上させることができる。
【００７７】
これまで、ＭＦ検出した画像だけを表示していたが、その画像だけではＭＦエラーの原因が特定し難い。具体的には、当該画像だけでは用紙の境目が確認しづらく、また、どこでＭＦしたかも分かり難い。また、ＭＦ検出した実物の用紙の確認が必要な場合もある。また、ＭＦ検出の有効／無効領域の設定が煩わしい。
【００７８】
そこで、本実施形態によれば、ＭＦ検出時に、ＭＦ検出した画像を確認する画面をＰＣ上に表示するだけでなく、ＵＳセンサの出力（ＭＦ検出した箇所）も画面に表示する。これにより、ＭＦエラーの発生要因が画面で簡単に確認できる。また、画像を取り込むか破棄するかの判断が容易になる。
【００７９】
また、本実施形態によれば、ＭＦ検出の有効／無効領域をＭＦ検出確認画面から設定させ、それをプレビューする。また、本実施形態によれば、ＭＦ検出と見做す長さをＭＦ検出確認画面から設定させ、それをプレビューする。これにより、用紙に貼られたシールや伝票などの貼付物の大きさや貼付位置が決まっている場合、オペレータはＭＦ検知を有効領域または無効領域を当該貼付物に合わせて任意に設定することができる。また、当該設定後の領域または長さをモニタでプレビューすることで、オペレータはＭＦエラーの結果を事前に知ることができ、その結果、不必要なやり直し作業（媒体の再読み取り作業）を省くことができる。
【００８０】
また、本実施形態によれば、ＭＦ検出確認画面に、検出した用紙長や基準の長さとの差を表示する。これにより、決まったサイズの用紙を搬送する場合に、オペレータは重送エラーの発生要因を簡単に確認することができる。なお、搬送される用紙の長さの変化でＭＦを判定する手法は、ＵＳセンサのないスキャナ等において非常に有効である。
【００８１】
また、本実施形態によれば、事前に設定した無効領域内でＭＦを検出したＵＳセンサの出力を別の色等で表示する。これにより、重送の原因をより特定し易くすることができる。
【００８２】
また、本実施形態によれば、事前に設定した無効領域内でＭＦを検出し、ＭＦエラーとしなかった場合でも、読み取り終了後に無効領域で検出したことを、ユーザにて再チェック可能に通知する。画像データをサムネイル表示し、その内の無効領域で検出した画像データの表示領域の背景色を特徴的なものにして強調表示する。これにより、オペレータは読み取り完了後に各用紙の読取状態を再チェックすることができ、その結果、ＭＦエラー検出の信頼性を向上させることができる。
【００８３】
また、本実施形態によれば、ユーザが強調表示（サムネイル画面にて背景色を変更）された画像を確認し、必要に応じて画像の削除／用紙の再読み込みを行う。これにより、用紙が重なっている場合に、オペレータは画像の破棄および当該用紙の再スキャンを簡単に実施することができる。
【００８４】
さらに、本発明は、上述した実施形態以外にも、特許請求の範囲に記載した技術的思想の範囲内において種々の異なる実施の形態にて実施されてよいものである。例えば、本実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。また、装置の分散・統合の具体的形態は図示するものに限られず、その全部または一部を、各種の付加等に応じて又は機能負荷に応じて任意の単位で機能的又は物理的に分散・統合して、構成することができる。また、本明細書や図面中で示した処理手順、制御手順、具体的名称、画面例などについては、特記する場合を除いて任意に変更することができる。
【００８５】
また、情報処理装置１００に関して、図示の各構成要素は機能概念的なものであり、必ずしも物理的に図示の如く構成されていることを要しない。例えば、情報処理装置１００が備える処理機能、特に制御部１０２にて行われる各処理機能については、その全部または任意の一部を、ＣＰＵおよび当該ＣＰＵにて解釈実行されるプログラムにて実現してもよく、また、ワイヤードロジックによるハードウェアとして実現してもよい。なお、プログラムは、後述する記録媒体に記録されており、必要に応じて情報処理装置１００に機械的に読み取られる。すなわち、ＲＯＭまたはＨＤなどの記憶部１０６には、各種処理を行うためのコンピュータプログラムが記録されている。このコンピュータプログラムは、ＲＡＭにロードされることによって実行され、ＣＰＵと協働して制御部を構成する。
【００８６】
また、本発明に係る画像表示装置は、既知のパーソナルコンピュータ、ワークステーション等の情報処理装置（任意の周辺装置が接続されている情報処理装置を含む。）として構成してもよい。また、本発明に係る画像表示装置は、情報処理装置に本発明に係る画像表示方法を実現させるソフトウェア（プログラム、データ等を含む）を実装することにより実現してもよい。また、本発明に係る画像表示プログラムは、コンピュータ読み取り可能な記録媒体に格納してもよく、また、プログラム製品として構成することができる。ここで、「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳに代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【産業上の利用可能性】
【００８７】
以上のように、本発明に係る画像表示装置、画像表示方法及び画像表示プログラムは、産業上の多くの分野、特に、重送検知機能を持つスキャナを扱う情報処理分野や画像処理分野において実施することができ、極めて有用である。
【符号の説明】
【００８８】
１００  情報処理装置
１０２  制御部
１０２ａ  表示制御部
１０２ｂ  設定部
１０２ｃ  反映部
１０２ｄ  削除部
１０２ｅ  再読取部
１０２ｆ  取込部
１０４  通信インターフェース部
１０６  記憶部
１０６ａ  画像データファイル
１０６ｂ  ＭＦ検知結果ファイル
２００  画像読取装置
２０２  重送検知ユニット
２０２ａ  判断部
２０２ｂ  算出部
２０４  画像読取ユニット
【図１】
0005548518.tif 000002
【図２】
0005548518.tif 000003
【図３】
0005548518.tif 000004
【図４】
0005548518.tif 000005
【図５】
0005548518.tif 000006
【図６】
0005548518.tif 000007
【図７】
0005548518.tif 000008
【図８】
0005548518.tif 000009
【図９】
0005548518.tif 000010
【図１０】
0005548518.tif 000011